(57)【要約】【課題】金属板から曲げ加工された金属導体を、隙間なく保持体上に装着させた多面体構成による良質の機器内収納型アンテナと、これを内部に組み入れた広帯域性の携帯端末を提供する。【解決手段】２つの角部Ｃ、Ｄを間にして隣接する３辺ａ、ｂ、ｃを有した平面部２と、それぞれ３辺ａ、ｂ、ｃより下方に延長して形成されるとともに、相互間に第２の傾斜面４、５を有して形成された第１の傾斜面３ａ、３ｂ、３ｃとを上面形状に有する保持体１上に、これと合致する形状となるように銅板より曲げ加工された金属導体６を装着し、さらに、金属導体６の、辺ｂに位置する部分に第１のスリット部７を形成するとともに、一方の角部Ｃの側より下方に延長する位置に第１のスリット部７と連通されて端末に開放端を有した第２のスリット部１１を形成する。【選択図】図１
2004023620.tif 000002
【特許請求の範囲】
【請求項１】
２つの角部を間にして隣接する３辺を有した平面部と前記３辺よりそれぞれ下方に延長されて相互間に他の面を有して形成された傾斜面とを上面形状に有する保持体と、金属板からの曲げ加工により前記保持体の上面に合致する形状を与えられて前記保持体上に装着された金属導体より構成され、
前記金属導体は、前記３辺のうちの中間の辺に位置する部分に第１のスリット部を有するとともに、前記２つの角部のうちの一方の側より下方へ延長される位置に前記第１のスリット部と連通されて端末に開放端を有した第２のスリット部を有することを特徴とする機器内収納型アンテナ。
【請求項２】
前記保持体の上面と前記金属導体は、４角形の前記平面部、前記３辺の位置より下方に延長するようにそれぞれ形成された第１の傾斜面、および前記２つの角部にそれぞれ位置して前記第１の傾斜面間をつなぐ２つの第２の傾斜面を有していることで互いに形状を合致させており、
前記金属導体は、前記３辺のうちの中間の辺より下方に延長する前記第１の傾斜面の一端と前記第２の傾斜面の一方との間に前記第２のスリット部を有することを特徴とする請求項１項記載の機器内収納型アンテナ。
【請求項３】
前記金属導体は、前記第１および第２のスリット部の幅を前記第１のスリット部の基部より前記第２のスリット部の前記開放端に向けて漸増させるようにプレス加工された金属板からの曲げ加工によって構成されていることを特徴とする請求項１項記載の機器内収納型アンテナ。
【請求項４】
保持体上に所定の形状の金属導体を装着したアンテナを内部に収納した構成の携帯端末において、
前記アンテナは、２つの角部を間にして隣接する３辺を有した平面部と前記３辺よりそれぞれ下方に延長されて相互間に他の面を有して形成された傾斜面とを上面形状に有する保持体と、金属板からの曲げ加工により前記保持体の上面に合致する形状を与えられて前記保持体上に装着された金属導体より構成され、
前記金属導体は、前記３辺のうちの中間の辺に位置する部分に第１のスリット部を有するとともに、前記２つの角部のうちの一方の側より下方に延長される位置に前記第１のスリット部と連通されて端末に開放端を有した第２のスリット部を有することを特徴とする携帯端末。
【発明の詳細な説明】
【０００１】
【発明の属する技術分野】
本発明は、機器内収納型アンテナおよびこれを組み入れた携帯端末に関し、特に、金属板より曲げ加工された金属導体を、隙間なく保持体上に装着させた多面体構成による良質の機器内収納型アンテナと、これを内部に組み入れた広帯域性の携帯端末に関する。
【０００２】
従来、移動体通信における携帯機器用のアンテナとしては、ロッドアンテナあるいはヘリカルアンテナのように携帯端末の筐体外に取り付けられる外部型アンテナが多く使用されてきたが、突出したアンテナが取扱上邪魔になったり、あるいは壊れやすい等の欠点を有していること、さらには、デザイン的に好ましくないことから、これを、筐体内に収納するタイプに切り替える動きが強まっている。
【０００３】
図４は、内部にアンテナを収納した携帯電話の一般的な構成を示したもので、その内部は、プリント回路基板１０１、液晶１０２、基板１０１の背面でシールドケース１０３内に収納されたＲＦ回路１０４、アンテナ１０５およびバッテリー１０６の組み合わせにより基本的に構成されており、これらの各部品は、筐体１０７内にコンパクトに納められている。
【０００４】
この構成において、アンテナ１０５は、通話時の筐体１０７が下方を手で持たれる関係から、上方位置に組み込まれるのが普通であり、これによって良好な通話が確保されるように構成されている。以上の構成は、前述した外部型アンテナの欠点を総べて解消する特質を有しており、従って、機能およびデザイン性に優れる携帯電話の提供を可能にしている。
【０００５】
図５は、アンテナ１０５の一般的な構成を示したものである。上面を立体的に形成した絶縁性の保持体１０８と、この保持体１０８の上面に隙間なく装着できる形状を有し、銅板等にプレス加工と曲げ加工を施すことによって作成された金属導体１０９とより構成され、これらは、接着剤等によって一体化されている。なお、１１０は共振周波数調整のために金属導体１０９に形成された切欠部、１１１は給電用端子、１１２はグランド用端子を示す。
【０００６】
ところで、機器内収納型アンテナが有する特有の欠点のひとつに、外部型アンテナに比べて帯域性が狭いという問題がある。このため、金属導体１０９としては、広帯域性確保のためにできるだけ大きな体積を有していることが好ましく、従って、その形態は、平板ではなく、図示されるような立体形状とすることが有利となる。
【０００７】
即ち、図５における保持体１０８の上面形状は、平面部１１３と、これより下方に延長させた傾斜面１１４および１１５との組み合わせによって構成されているとともに、金属導体１０９には、曲げ加工によってこれに合致する形状が与えられており、従って、この構成における金属導体１０９の体積は、平板のものに比べて大きくなり、その分、アンテナの帯域性は広がることとなる。
【０００８】
図６は、帯域性をさらに広げる構想のアンテナを示したものである。
図５の構成の保持体１０８および金属導体１０９を２点鎖線のように延長させたもので、保持体１０８の平面部１１３と金属導体１０９に面（１１６）〜（１１８）が追加される結果、金属導体１０９の体積とそれによる帯域性は、より向上することとなる。なお、給電用端子１１１とグランド用端子１１２は、当然、面（１１７）の側に形成される。
【０００９】
この多面体構成は、アンテナ性能の向上だけでなく、デザイン上の要求より図４のように先細り形状を与えられることの多い筐体１０７の上部内に、アンテナを無理なく納めるうえでも好ましく、従って、この構成のアンテナは、携帯電話をはじめとする多くの携帯端末において有用性が高いものとなる。
【００１０】
【発明が解決しようとする課題】
しかし、従来技術に基づく図６の機器内収納型アンテナによると、たとえば、平面部１１３の角部Ａの側において、金属導体１０９の４面（１１７）、（１１８）、１１９および１２０を歪みなく曲げ加工することは困難であり、このため、曲げ加工によって生じた銅板の余剰分が、保持体１０８上への金属導体１０９の装着時に、面（１１７）、（１１８）、１１９および１２０間の特に曲げ部においてダブツキの形となって現れることとなる。
【００１１】
従って、この結果、金属導体１０９を保持体１０８上に隙間なく装着することは難しくなり、良質のアンテナ構成は困難となる。ダブツキの発生は、反対側の角部Ｂの側においても起こり得る現象であり、この問題は、曲げ加工によって金属導体１０９に多面体構成を与える限り、避けられないこととなる。
なお、金属板に曲げ加工のみによって多面体構成を与えた金属導体は、加工が簡便なだけにコスト的に有利であり、従って、これを踏襲して図６のアンテナを構成することは、工業的に極めて有意義なこととなる。
【００１２】
従って、本発明の目的は、金属板から曲げ加工された金属導体を、隙間なく保持体上に装着させた多面体構成による良質の機器内収納型アンテナと、これを内部に組み入れた広帯域性の携帯端末を提供することにある。
【００１３】
【課題を解決するための手段】
本発明は、上記の目的を達成するため、２つの角部を間にして隣接する３辺を有した平面部と前記３辺よりそれぞれ下方に延長されて相互間に他の面を有して形成された傾斜面とを上面形状に有する保持体と、金属板からの曲げ加工により前記保持体の上面に合致する形状を与えられて前記保持体上に装着された金属導体より構成され、
前記金属導体は、前記３辺のうちの中間の辺に位置する部分に第１のスリット部を有するとともに、前記２つの角部のうちの一方の側より下方に延長される位置に前記第１のスリット部と連通されて端末に開放端を有した第２のスリット部を有することを特徴とする機器内収納型アンテナを提供するものである。
【００１４】
また、本発明は、上記の目的を達成するため、保持体上に所定の形状の金属導体を装着した構成のアンテナを内部に収納した携帯端末において、
前記アンテナは、２つの角部を間にして隣接する３辺を有した平面部と前記３辺よりそれぞれ下方に延長されて相互間に他の面を有して形成された傾斜面とを上面形状に有する保持体と、金属板からの曲げ加工により前記保持体の上面に合致する形状を与えられて前記保持体上に装着された金属導体より構成され、
前記金属導体は、前記３辺のうちの中間の辺に位置する部分に第１のスリット部を有するとともに、前記２つの角部のうちの一方の側より下方に延長される位置に前記第１のスリット部と連通されて端末に開放端を有した第２のスリット部を有することを特徴とする携帯端末を提供するものである。
【００１５】
上記した機器内収納型アンテナにおいては、保持体の上面と金属導体とが以下の構成を有していることが好ましい。
即ち、４角形の平面部と、この平面部の３辺の位置より下方に延長するようにそれぞれ形成された第１の傾斜面と、３辺の間の２つの角部にそれぞれ位置して第１の傾斜面間をつなぐ２つの第２の傾斜面を有していることで互いに形状を合致させていること、そして、金属導体は、平面部の３辺のうちの中間の辺より下方に延長する第１の傾斜面の一端と第２の傾斜面の一方との間に第２のスリット部を有していることが好ましく、この構成は、図６のアンテナを本発明によって構成するときの最適構成となる。
【００１６】
また、上記の第１および第２のスリット部は、その幅を、第１のスリット部の基部より第２のスリット部の開放端に向けて漸増するようにプレス加工することが好ましく、このような加工を施すときには、曲げ加工時に開放端に向けて狭くなり勝ちなスリット部の幅寸法を一定にすることができる。
なお、金属導体を構成する金属板としては、銅板あるいはリン青銅板等が使用され、保持体の構成材としては、ＡＢＳ樹脂あるいはカーボネート樹脂等の各種プラスティックス類が使用される。
【００１７】
【発明の実施の形態】
次に、添付図面に基づき、本発明の実施の形態を説明する。
図１において、１は保持体を示し、４角形の平面部２と、この平面部２が角部Ｃ、Ｄを間にして有する３辺ａ、ｂ、ｃの位置より下方に傾斜するようにそれぞれ形成された第１の傾斜面３ａ、３ｂ、３ｃと、第１の傾斜面３ａ、３ｂ間および３ｂ、３ｃ間をそれぞれつなぐ第２の傾斜面４と５を上面形状に有している。
【００１８】
６は銅板にプレス加工と曲げ加工を施すことによって製作された金属導体を示し、保持体１の上面形状と合致する形状を与えられることによって、保持体１の上面に密接し、かつ、一体に接着した状態で装着させられている。
【００１９】
この金属導体６は、保持体１が有する平面部２の３辺ａ、ｂ、ｃのうちの中間の辺ｂの位置する部分に第１のスリット部７を有し、さらに、第１の傾斜面３ｂ上に位置する自身の傾斜面８を第２の傾斜面５上に位置する自身の傾斜面１０に接続させているとともに、角部Ｃより下方に延長する位置、即ち、自身の傾斜面８と第２の傾斜面４上に位置する自身の傾斜面９との間に、第１のスリット部７に連通され、端末に開放端を有した第２のスリット部１１を形成した構成を有する。
【００２０】
なお、１２は共振周波数調整のために形成された切欠部を示し、この実施の形態においては、一部を第１および第２のスリット部７および１１と兼用する構成が採られている。１３は第１の傾斜面３ｂ上に位置する金属導体６の傾斜部８の下端に形成された給電用端子、１４はグランド用端子を示す。
【００２１】
以上のように構成されるこの実施の形態の機器内収納型アンテナによれば、金属導体６に形成された第１のスリット部７と第２のスリット部１１が、曲げ加工によって生ずる余剰分による銅板のダブツキを効果的に逃す（吸収する）存在となり、従って、この結果、多面体構成であるにも拘わらず、金属導体６を保持体１上に隙間なく装着させた良質のアンテナを構成することができる。
【００２２】
また、このアンテナを内部に組み入れた携帯端末は、当然、多面体構成のアンテナに基づく優れた広帯域性を示すこととなり、さらに、内蔵アンテナが図１の構成となる結果、当該アンテナを図４の筐体１０７の先細りの上部内に無理なく収納することができるようになり、従って、このことによる優れたデザイン性の確保も可能となる。
【００２３】
なお、この実施の形態においては、第１の傾斜面３ａ、３ｂ、３ｃと第２の傾斜面４、５を保持体１の片側にのみ形成した例について述べたが、必要であれば、さらに反対側にもこれらを追加する構成は可能であり、さらには、平面部２を４角形以外の角数にするとともに、第１および第２の傾斜面をそれに対応した数にするなどの変更は可能である。
【００２４】
図２は、図１のアンテナにおける金属導体６の製造プロセスを示したものである。工程１は、曲げ加工前の銅板の構成を示し、第１のスリット部７と第２のスリット部１１を含む切欠部１２、給電用端子１３、およびグランド用端子１４を有する所定の形状にプレス加工されている。
【００２５】
次に、この銅板は、工程２において、折り目ＥとＦから矢印ＧおよびＨの方向に所定の角度曲げられ、さらに、工程３において、折り目ＥおよびＦと直交して第２のスリット部７を通る折り目Ｉから、矢印Ｊの方向に所定の角度曲げられた後、工程４において、折り目Ｋより端子１３、１４が矢印Ｌの方向に所定の角度曲げられる。
【００２６】
以上のようにして曲げ加工を施された金属導体６は、次に、工程５において、所定の処理のもとに保持体１の上面に装着一体化され、これによって、図の［完成］（または図１）に示されるような所定の多面体構成を有する機器内収納型アンテナとされる。
【００２７】
以上述べた図２のプロセスによれば、プレス加工後の銅板は、総べて曲げ加工のみによって金属導体６に仕上げられるものであり、従って、コスト的に有利な多面体構成のアンテナを提供することができる。これは、平面部２の角部ＣとＤの側に傾斜面３ａ、４、３ｂおよび傾斜面３ｂ、５、３ｃをそれぞれ有して構成される保持体１の上面形状に対応させるため、金属導体６に、第１のスリット部７と第２のスリット部１１を形成したことに起因するものである。
【００２８】
図３は、図２の製造プロセスにおいて、プレス加工した後の銅板の他の形態を示したものである。図２との違いは、第１のスリット部７と第２のスリット部１１の幅を、第１のスリット部７の基部の側から第２のスリット部１１の開放端の側に向けて漸増するように構成した点にある。
【００２９】
スリット部７および１１の幅をこのように加工するときには、曲げ加工のために第２のスリット部１１の開放端に行くにしたがって狭くなり勝ちなスリット部７および１１の幅を一定にすることが可能となる。このようなプレス加工は、実際的であり、多くの場合に採用される。
【００３０】
【発明の効果】
以上説明したように、本発明によれば、２つの角部を間にして隣接する３辺を有した平面部と、この３辺より下方に延長されて相互間に他の面を有して形成された傾斜面とを上面形状に有する保持体上に、これと合致する形状を金属板からの曲げ加工によって与えられた金属導体を装着し、さらに、この金属導体の、前記３辺のうちの中間の辺に位置する部分に第１のスリット部を形成するとともに、この金属導体の、前記２つの角部のうちの一方の側より下方に延長する位置に、第１のスリット部と連通されて端末に開放端を有した第２のスリット部を形成しているため、これら第１及び第２のスリット部が、曲げ加工によって生ずる金属板の余剰分を逃すように作用することとなり、従って、金属導体を保持体上に装着したとき、両者間に隙間のない多面体構成による良質の機器内収納型アンテナを構成することができ、さらに、これを内部に組み入れた広帯域性の携帯端末を提供することができる。
【図面の簡単な説明】
【図１】本発明による機器内収納型アンテナの実施の形態を示す説明図。
【図２】図１の金属導体の製造プロセスを示す説明図。
【図３】図２の製造プロセスの他の形態を示す説明図。
【図４】携帯電話の構成を示す説明図であり、（ａ）は正面図、（ｂ）は側面から見た内部構成、（ｃ）は背面図を示す。
【図５】従来の機器内収納型アンテナの構成を示す説明図。
【図６】多面体構成の機器内収納型アンテナの構成を示す説明図。
【符号の説明】
１　　　　保持体
２　　　　切欠部
３ａ、３ｂ、３ｃ　　　　第１の傾斜面
４、５　　　　第２の傾斜面
６　　　　金属導体
７　　　　第１のスリット部
８、９、１０　　　　金属導体の傾斜面
１１　　　　第２のスリット部
１２　　　　切欠部
１３　　　　給電用端子
１４　　　　グランド用端子
Ｃ、Ｄ　　　　角部
Ｅ、Ｆ、Ｉ、Ｋ　　　　折り目
Ｇ、Ｈ、Ｊ、Ｌ　　　　曲げ方向
【図１】
2004023620.tif 000003
【図２】
2004023620.tif 000004
【図３】
2004023620.tif 000005
【図４】
2004023620.tif 000006
【図５】
2004023620.tif 000007
【図６】
2004023620.tif 000008
【手続補正書】
【提出日】平成15年9月26日(2003.9.26)
【手続補正１】
【補正対象書類名】明細書
【補正対象項目名】請求項３
【補正方法】変更
【補正の内容】
【請求項３】
前記金属導体は、前記第１および第２のスリット部の幅を前記第１のスリット部における前記第２のスリット部と連通していない側の端部より前記第２のスリット部の前記開放端に向けて漸増させるようにプレス加工された金属板からの曲げ加工によって構成されていることを特徴とする請求項１項記載の機器内収納型アンテナ。
【手続補正２】
【補正対象書類名】明細書
【補正対象項目名】００１６
【補正方法】変更
【補正の内容】
【００１６】
また、上記の第１および第２のスリット部は、その幅を、第１のスリット部における前記第２のスリット部と連通していない側の端部より第２のスリット部の開放端に向けて漸増するようにプレス加工することが好ましく、このような加工を施すときには、曲げ加工時に開放端に向けて狭くなり勝ちなスリット部の幅寸法を一定にすることができる。
なお、金属導体を構成する金属板としては、銅板あるいはリン青銅板等が使用され、保持体の構成材としては、ＡＢＳ樹脂あるいはカーボネート樹脂等の各種プラスティックス類が使用される。


【手続補正３】
【補正対象書類名】明細書
【補正対象項目名】００２８
【補正方法】変更
【補正の内容】
【００２８】
図３は、図２の製造プロセスにおいて、プレス加工した後の銅板の他の形態を示したものである。図２との違いは、第１のスリット部７と第２のスリット部１１の幅を、第１のスリット部７の基部（第２のスリット部と連通していない側の端部）の側から第２のスリット部の１１の開放端の側に向けて漸増するように構成した点にある。